(57)【要約】      （修正有）【課題】外力による衝撃力を大幅に緩和して、携帯式電子装置の破損を回避することができる嵌め込み式弾性緩衝シートを有する保護カバー体を提供する。【解決手段】カバー体１と４つの弾性緩衝シート１５とを含み、カバー体は第１弾性材料からなり、少なくとも４つの側壁１１及び４つの湾曲壁１３を含む。各湾曲壁は、２つの隣接する側壁を互いに連結し、共に収容空間１７を囲んで形成し、各湾曲壁の内側面には嵌め込み溝１３１が凹設されている。各弾性緩衝シートは、硬度が比較的小さい第２弾性材料からなり、各嵌め込み溝内に嵌め込まれている。携帯式電子装置がカバー体内に被覆されている状態で、カバー体のコーナーが外力の衝撃を受けると、湾曲壁は外力により弾性変形し、衝撃力を緩和する。【選択図】図１
0003200061.tif 000002
【実用新案登録請求の範囲】
【請求項１】
嵌め込み式弾性緩衝シートを有する保護カバー体であって、
カバー体と４つの弾性緩衝シートとを含み、
前記カバー体は第１弾性材料からなり、少なくとも４つの側壁及び４つの湾曲壁を含み、前記各湾曲壁は２つの隣接する側壁を互いに連結し、さらに前記各湾曲壁と側壁とが共に収容空間を囲んで形成することができ、前記カバー体の前縁には開口部が形成され、前記開口部は前記収容空間に連通し、その口径が前記収容空間の内径より小さく、前記各湾曲壁の内側面にはそれぞれ嵌め込み溝が凹設されており、
前記各弾性緩衝シートは硬度が第１弾性材料より小さい第２弾性材料からなり、その構成が前記各嵌め込み溝と適合し、前記各弾性緩衝シートは、それぞれ前記各嵌め込み溝に嵌め込まれて、前記各湾曲壁と堅固に結合して一体になり、且つ前記各嵌め込み溝内に位置しており、
携帯式電子装置は前記開口部を通じて前記収容空間に嵌め込まれる場合で、各側壁の内側面は前記携帯式電子装置の外周縁の４つの側面に当接することができ、前記各湾曲壁はそれぞれ前記携帯式電子装置の４つのコーナーと対応し、且つ前記携帯式電子装置の４つのコーナーは各弾性緩衝シートに当接する、
ことを特徴とする保護カバー体。
【請求項２】
前記２つの隣接する湾曲壁の外縁は互いに接して接線を形成し、２つの湾曲壁の間における前記側壁の外側面は延長線を形成しており、前記接線と前記携帯式電子装置との間の第１離間距離は、対応する前記延長線と前記携帯式電子装置との間の第２離間距離より大きい、
ことを特徴とする請求項１に記載の保護カバー体。
【請求項３】
前記湾曲壁及び側壁の後縁は、カバー体の後縁に後壁を形成させるように、互いに一体に封合されている、
ことを特徴とする請求項１に記載の保護カバー体。
【請求項４】
前記カバー体には少なくとも押圧部が更に設けられ、前記押圧部は前記携帯式電子装置のボタンに対応する位置に設けられ、前記押圧部は前記ボタンと適合するように構成される、
ことを特徴とする請求項３に記載の保護カバー体。
【請求項５】
前記押圧部には補助押圧溝が更に設けられ、前記補助押圧溝は前記カバー体の前記収容空間に貫通している、
ことを特徴とする請求項１に記載の保護カバー体。
【請求項６】
前記第１弾性材料又は第２弾性材料はシリコーン、ゴム又は熱可塑性ポリウレタンである、
ことを特徴とする請求項５に記載の保護カバー体。
【考案の詳細な説明】
【技術分野】
【０００１】
本考案は嵌め込み式弾性緩衝シートを有する保護カバー体に関し、特にカバー体の４つのコーナーに嵌め込み式弾性緩衝シートを有する構造に関する。携帯式電子装置が前記カバー体で被覆されている状態で、前記カバー体の４つのコーナーが外力の衝撃を受けると、湾曲壁は外力によって弾性変形し、これによって外力による衝撃力を大幅に緩和することができる。前記弾性緩衝シートは更に弾性変形によって、前記湾曲壁により緩和された後の力を緩和することで、優れた保護効果を得て、前記携帯式電子装置が外力の衝撃力により破損されることを回避することができる。
【背景技術】
【０００２】
グローバル・テクノロジーの急成長に伴い、マイクロコンピュータ技術及びモバイルブロードバンドインターネット技術がますます成熟してきていることによって、様々な携帯式電子装置は製造コストが廉価になる上に、外観が従来に比べて軽量で、短く、コンパクトに設計されてきている。そのため、様々なインターネット機能やマルチメディア機能を持つ携帯式電子装置が市販されている。現在、多く見られるモバイル電子装置としてはスマートフォン（Ｓｍａｒｔ  Ｐｈｏｎｅ）とパーソナル・デジタル・アシスタント（Ｐｅｒｓｏｎａｌ  Ｄｉｇｉｔａｌ  Ａｓｓｉｓｔａｎｔ、略称ＰＤＡ）に加えて、タブレット・コンピュータ（Ｔａｂｌｅｔ  ＰＣ）や、デジタルフォトフレーム（Ｄｉｇｉｔａｌ  Ｐｈｏｔｏ  Ｆｒａｍｅ）や、電子ブックリーダー（Ｅ−ｂｏｏｋ  Ｒｅａｄｅｒ）などの製品も存在する。多くのメーカーが様々な携帯式電子装置の研究開発設計を行うと同時に、従来の読取り方法を変える人々も増加している。次第に電子ブックリーダーあるいはデジタルフォトフレームなどの装置は主な情報の読み取り媒体として、従来の紙の書物又は写真枠にとって替わってきている。前記携帯式電子装置はパソコンに比べて、携帯しやすいだけでなく、機能も多様であり、撮影や、ビデオ通話や、音楽再生などの機能を有するほか、文字処理、インターネットによる電子メールの送受信、ストリーミング・メディア（ｓｔｒｅａｍｉｎｇ  ｍｅｄｉａ）のダウンロードと再生までも実行することにより、ユーザーの様々な要望に応えている。従って、様々な移動電子装置は現代の人々の暮らしに欠かせない普及された汎用品になっている。
【０００３】
前記携帯式電子装置の高機能及び幅広い用途により、人々の前記携帯式電子装置を使用する頻度がますます高くなるが、前記携帯式電子装置はユーザーの使用頻度の増加につれて、鋭い物体により摩擦され又は切り傷が生じ、不注意で落としたり又は衝撃を受けて損傷するなどの様々な状況も増加している。前記状況が発生するとき、通常は前記携帯式電子装置の画面又は本体が摩耗されて外観に影響を与えるが、内部のマザーボードや回路が損傷し又は画面が割れて故障に至る状況も発生する。そのため、多くのメーカーは積極的に各種の保護アセンブリを開発設計し、前記保護アセンブリによって、前記携帯式電子装置が損傷される確率を低減するようにしている。現在、市販されている保護アセンブリは、本体用フィルム、保護カバー体、保護シートあるいは保護ケースなどを含むが、前記保護アセンブリの主な用途は、全ての携帯式電子装置が鋭い物体と接触し又は摩擦を受けて損傷することを回避するためであり、外力による衝撃力に対しての保護作用はほとんど果たしていない。以上の説明から分かるように、従来の携帯式電子装置に応用されている保護アセンブリは、主な機能は前記携帯式電子装置の外観が損なわれることを回避するのみで、前記携帯式電子装置の機能に実際に損傷を与える可能性を有する衝撃に対しては、十分な保護が提供されていなかった。明らかに、従来の保護アセンブリの前記携帯式電子装置に対する保護は未だ改良の余地が大きい。
【０００４】
上記から明らかなように、従来の携帯式電子装置を対象にして設計された保護アセンブリは、前記携帯式電子装置を完全に保護することができない。そのため、以下のような衝撃力を緩和する保護カバー体の様々な設計は、本考案における検討課題である。携帯式電子装置が前記保護カバー体で被覆されている状態で、前記カバー体によって外力の衝撃力を緩和して、前記携帯式電子装置が外力の衝撃により破損されることを回避することができる。
【考案の概要】
【考案が解決しようとする課題】
【０００５】
本考案の解決しようとする技術課題は嵌め込み式弾性緩衝シートを有する保護カバー体を提供することである。特にカバー体の４つのコーナーは嵌め込み式弾性緩衝シートを有する構造である。携帯式電子装置が前記カバー体内に被覆されている状態で、前記カバー体の４つのコーナーが外力の衝撃を受けると、前記湾曲壁は外力によって弾性変形されることができ、これによって外力による衝撃力を大幅に緩和することができる。さらに、前記弾性緩衝シートは弾性変形によって、前記湾曲壁により緩和された力を緩和することができ、非常に優れた保護効果を得ることができ、前記携帯式電子装置が外力の衝撃力によって破損されることを回避する。
【課題を解決するための手段】
【０００６】
前記技術問題を解決するために、本考案は携帯式電子装置（例えば、スマートフォン、タブレット・コンピュータ又は電子書籍など）に応用される嵌め込み式弾性緩衝シートを有する保護カバー体を提供する。該弾性緩衝シートを有する保護カバー体は、カバー体と４つの弾性緩衝シートとを含み、前記カバー体は第１弾性材料（例えば熱可塑性ポリウレタン）からなり、少なくても４つの側壁、４つの湾曲壁及び４つの弾性緩衝シートを含む。前記各湾曲壁は、２つの隣接する側壁を互いに連結し、さらに前記各湾曲壁が側壁と共に収容空間を囲んで形成し、前記湾曲壁と側壁の後縁が互いに封着して一体になることができる。前記カバー体の後縁には後壁が形成され、前記カバー体の前縁には開口部が形成されており、前記開口部が前記収容空間に連通し、その口径が前記収容空間の内径より小さい。前記各湾曲壁の内側面にはそれぞれ嵌め込み溝が凹設され、２つの隣接する湾曲壁の外縁は互いに接して接線を形成し、２つの隣接する湾曲壁の間における前記側壁の外側面は延長線を形成している。前記各弾性緩衝シートは硬度が第１弾性材料より小さい第２弾性材料（例えば、シルカゲル）からなり、前記各嵌め込み溝と適合する構成になっており、前記各弾性緩衝シートは、それぞれ前記各嵌め込み溝に嵌め込まれて、前記各湾曲壁と堅固に結合して一体になり、且つ前記各嵌め込み溝内に位置している。前記携帯式電子装置が前記開口部を通じて前記収容空間に嵌め込まれる場合、各側壁の内側面はそれぞれ前記携帯式電子装置の外周縁の４つの側面に当接することができ、前記各湾曲壁はそれぞれ前記携帯式電子装置の４つのコーナーに対応し、且つ前記携帯式電子装置の４つのコーナーはそれぞれ各弾性緩衝シートに当接することができる。また、前記接線と前記携帯式電子装置との間の第一離間距離は、対応する前記延長線と前記携帯式電子装置との間の第二離間距離より大きい。これにより、前記携帯式電子装置が前記カバー体内に被覆された状態で、前記カバー体の４つのコーナーが外力による衝撃を受けると、前記湾曲壁は外力によって弾性変形され、これによって外力による衝撃力が大幅に緩和する。さらに、前記弾性緩衝シートは弾性変形によって、前記湾曲壁により緩和された後の力を緩和することができ、優れる保護効果が得られ、前記携帯式電子装置が外力の衝撃力によって破損されることを回避する。また、当業者が作成した透明状のカバー体及び様々な着色を持つ弾性緩衝シートの場合、各色の弾性緩衝シートによって美観を大幅に向上させることができる。
【図面の簡単な説明】
【０００７】
【図１】図１は、本考案の実施例による嵌め込み式弾性緩衝シートを有する保護カバー体を示す図である。
【図２】図２は、本考案の実施例による嵌め込み式弾性緩衝シートを有する保護カバー体の一部の断面図である。
【図３】図３は、本考案の実施例による嵌め込み式弾性緩衝シートを有する保護カバー体における湾曲壁の断面図である。
【図４】図４は、本考案の実施例による嵌め込み式弾性緩衝シートを有する保護カバー体を別の視角から示す図である。
【考案を実施するための形態】
【０００８】
図１に示すように、本考案の第１の好ましい実施例による嵌め込み式弾性緩衝シートを有する保護カバー体は、スマートフォン（図示せず）に応用される。ユーザーは該保護カバー体のサイズを調整することができるため、該保護カバー体のサイズを調整して他の携帯式電子装置（例えば、タブレット・コンピュータ又は電子書籍など）に応用してもよい。
【０００９】
図１、図２に示すように、該保護カバー体はカバー体１と４つの弾性緩衝シート１５とを含み、該カバー体１は第１弾性材料（例えばシリコーン、ゴム又は熱可塑性ポリウレタン）からなり、少なくても４つの側壁１１、４つの湾曲壁１３及び４つの弾性緩衝シート１５を含む。各該湾曲壁１３は、２つの隣接する側壁１１を互いに連結させ、さらに各該湾曲壁１３は側壁１１と共に収容空間１７を囲んで形成している。各該湾曲壁１３の内側面にはそれぞれ嵌め込み溝１３１が凹設され、２つの隣接する湾曲壁１３の外縁は互いに接して接線Aを形成し、２つの隣接する湾曲壁１３の間における該側壁１１の外側面は延長線Bを形成している。この第１の好ましい実施例では、各該湾曲壁１３及び側壁１１の後縁が互いに封着して一体になることで、該カバー体１の後縁に後壁１９が形成され、かつ該カバー体１の前縁に開口部１８が形成されており、該開口部１８は該収容空間１７に連通し、その口径が該収容空間の内径より小さい。このように、ユーザーは該スマートフォンを該開口部１８から該収容空間１７内に装着させることができ、かつ該スマートフォンの画面が該開口部１８に対応することで、該開口部１８を通じて該画面上に現れる情報を閲覧し、若しくは、該開口部１８を通じて該画面に対してタッチ操作を行うことができる。さらに、該後壁１９は該スマートフォンの背面に対して損傷や磨耗を防止することができる。ユーザーは該後壁１９を省略して、該カバー体１が該スマートフォンの周縁のみを被覆しても良い。
【００１０】
図１、図３に示すように、各該弾性緩衝シート１５は第２弾性材料（例えば、シリコーン、ゴム又は熱可塑性ポリウレタン）からなり、その硬度が該第１弾性材料の硬度の以下であり、その構成は各該嵌め込み溝１３１と適合する。各該弾性緩衝シート１５は、それぞれ各該嵌め込み溝１３１に嵌め込まれて、各該湾曲壁１３と堅固に結合して一体になり、且つ各該嵌め込み溝１３１内に位置している。
【００１１】
図１、図２、図３に示すように、該スマートフォンは該開口部１８を通して、該収容空間１７内に嵌め込まれる場合、各該側壁１１の内側面はそれぞれ該スマートフォンの外周縁の４つの側面に当接されることができる。各該湾曲壁１３はそれぞれ該スマートフォンの４つのコーナーと対応し、且つ該スマートフォンの４つのコーナーはそれぞれ各該弾性緩衝シート１５に当接されても良い。また、該接線Aと該スマートフォンとの間の第一離間距離Ａ'は、対応する前記延長線Bと該スマートフォンとの間の第二離間距離Ｂ'より大きい。これにより、ユーザーが不注意で該スマートフォンを該カバー体１と共に床に落としした場合、各該湾曲壁１３が先に床と接触することによって、各該側壁１１が直接床に接触しないように保護し、衝撃力が直接各該湾曲壁１３に加わることで、衝撃力が直接各該側壁１１又は該スマートフォンに加えられず、該スマートフォンの破損を回避する。
【００１２】
これにより、該スマートフォンが前記カバー体１で被覆された状態で、該カバー体１の４つのコーナーが外力の衝撃を受けると、該湾曲壁１３は外力によって弾性変形されることで、外力による衝撃力が大幅に緩和する。さらに、該弾性緩衝シート１５は比較的大きい弾性変形によって、該湾曲壁１３により緩和された後の力を緩和することができ、非常に良い保護効果が得られ、外力による衝撃力で該スマートフォンが破損されることを回避する。
【００１３】
本考案の他の実施例については、図１に示すように、本考案の主な特徴は、湾曲壁１３が外力を受けたとき、各該湾曲壁１３の変形及び各該弾性緩衝シート１５の変形によって二重緩衝効果を果たし、更に携帯式電子装置を保護することができる。よって、本考案に係る嵌め込み式弾性緩衝シートを有する保護カバー体は、軽量で、簡便に携帯できる利点を有し、更に材料を自由に選択することができ、シリコーンなどの高弾性材料のみで該カバー体１を製造することに限らず、弾性が若干低い熱可塑性ポリウレタン（Ｔｈｅｒｍｏｐｌａｓｔｉｃ  Ｐｏｌｙｕｒｅｔｈａｎｅ、略称ＴＰＵ）のような材料からも製造ができ、同じく優れた保護効果を得ることができる。よって、選択できる材料の種類が多様であるため、該カバー体１の外観構造の設計も様々な変化（例えば、ＴＰＵ材料により透明なカバー体を製造し、シリコーン材料により様々な着色された弾性緩衝シートを製造する）が可能で、市場での製品の競争力を大幅に増進することができる。
【００１４】
本考案における別の実施例では、図１、図４に示すように、該カバー体１は少なくとも押圧部１２が更に設けられ、該押圧部１２は携帯式電子装置の押ボタンに対応して位置し、該押圧部１２の構造が該押ボタンに適合し、これによって該携帯式電子装置が該カバー体１で被覆された状態で、ユーザーは依然として簡単に該押圧部１２を介して該押ボタンを押して、該携帯式電子装置を操作することができる。かつ該押圧部１２の片側の周縁には補助押圧溝１２１が設けられ、該補助押圧溝１２１が該収容空間１７を貫通することで、該カバー体１の該押圧部１２に対する引っ掛かり力を低減して、該押圧部１２が押されたとき、比較的大きな弾性変形量が生じるようになって、ユーザーが更に省力することができ、更に容易に該押圧部１２を介して該押ボタンを作動させることができる。
【００１５】
以上の具体的な実施形態は本考案に係る技術的手段のみを説明し、権利範囲を限定するものではない。実施形態を参照しながら本考案について詳細に説明したが、本考案の精神及び範囲から逸脱しない状態で、本考案に対して変更を行い、又は同等な物と置き換えることができるが、いずれも本考案の保護範囲内に含まれることは当業者が理解すべきである。
【図１】
0003200061.tif 000003
【図２】
0003200061.tif 000004
【図３】
0003200061.tif 000005
【図４】
0003200061.tif 000006